(57)【要約】【課題】マスク（１１）を首筋にて両端のマスク紐（１２）を止めた場合、従来の耳で止める使用方法より紐の取り付け位置が下がる為、マスク本体が顔から下方向に落ちようとする力（F１）と止め部が下方向に落ちようとする（Ｆ７）がかかる。解決しようとする課題は、マスク紐を首筋で止めた場合でも、マスクがずれ落ちないようにした点である。【解決手段】マスクストッパー(１)は、基部（２）と前記基部の両端にそれぞれ設けられた上下１対のフック（３、４、５、６）を備え、左上フック（３）と左下フック（５）とを通る仮想線（Ａ）及び右上フック（４）と右下フック（６）とを通る仮想線（Ｂ）が、いずれも左下フック（５）と右下フック（６）とを通る仮想線（Ｃ）に対して斜交している。【選択図】図1
2015093036.tif 000002
【特許請求の範囲】
【請求項１】
基部と前記基部の両端にそれぞれ設けられた上下１対のフックを備えたマスクストッパーであり、左上フックと左下フックとを通る仮想線（Ａ）及び右上フックと右下フックとを通る仮想線（Ｂ）が、いずれも左下フックと右下フックとを通る仮想線（Ｃ）に対して斜交しているマスクストッパー。
【請求項２】
前記斜交する角度（α、β）が１０度から６０度である請求項1に記載のマスクストッパー。
【請求項３】
前記基部の中程部が膨らんだ請求項1又は２に記載のマスクストッパー。
【請求項４】
フックの上下方向に突出部を設けた請求項1〜３のいずれかに記載のマスクストッパー。
【発明の詳細な説明】
【技術分野】
【０００１】
本発明は、小耳症、または耳が無い人のマスク着用に関するものである。
【背景技術】
【０００２】
マスクの紐部分を後頭部で止める発明では、特許文献1、特許文献2というものがある。フック式ではあるが両者共に耳の上下で紐を通して後頭部で止める発明であり、マスク紐を耳の上下に通す事でマスクが落ちるといった問題は起きない。その為、左右のマスク紐はフックにより垂直に取り付けられる構造になっている。特に女性の場合、マスク紐固定具が長い髪の毛に引っかかり使用が困難であり、マスク紐を後頭部で止める事自体に問題がある。
マスクの紐部分を後頭部や首筋で止める事では、特許文献3の発明がある。この発明では首筋で止めた場合でのマスクが落ちようとする問題が解決されていない事や、ボタン式で折り返しによるマスク紐の止め方には、マスク紐は自由に力が加わらない問題点がある。
【先行技術文献】
【特許文献】
【０００３】
【特許文献１】特開２０１１−５５８９６号公報
【特許文献２】特開２０１１−１１５４４９号公報
【特許文献３】特開２０１１−１１５４４９号公報
【発明の概要】
【発明が解決しようとする課題】
【０００４】
図10で示すように、マスク（１１）を首筋にて両端のマスク紐（１２）を止めた場合、従来の耳や後頭部で止める使用方法より紐の取り付け位置が下がり、止め部が下に落ちようとする力（Ｆ7）がかかる為、マスク自体が顔から下方向に落ちようとする力（Ｆ1）がかかりマスクが落ちようとする。
解決しようとする問題点は、マスク紐（１２）を首筋で止めた場合でも、落ちようとする力（Ｆ1）を減少させて使いやすくした点である。
【課題を解決するための手段】
【０００５】
本発明に係るマスクストッパーは、基部と前記基部の両端にそれぞれ設けられた上下１対のフックを備えたストッパーであり、左上フックと左下フックとを通る仮想線（Ａ）及び右上フックと右下フックとを通る仮想線（Ｂ）が、いずれも左下フックと右下フックとを通る仮想線（Ｃ）に対して斜交していることを特徴とする。
【０００６】
また、本発明に係るマスクストッパーは前記の斜交する角度（α、β）が１０度から６０度であることを特徴とする。
【０００７】
本発明に係るマスクストッパーは、基部の中程部が膨らんでいることを特徴とする。
【０００８】
本発明に係るマスクストッパーは、フックの上下方向に突出部を設けたことを特徴とする。
【発明の効果】
【０００９】
本発明のマスクストッパーを使用してマスクを首筋で装着の場合、マスクが落ちようとする力を減少させて使いやすくなる。
本発明でマスクストッパーを使用してマスクを首筋で装着の場合、小耳症、耳の形状によってマスクの使用が難しい人でも簡単にマスクの使用が可能になる。
【図面の簡単な説明】
【００１０】
【図１】マスクストッパー（１）の正面図。
【図２】マスクストッパー（１）のフック（３、４、５、６）を通る仮想線（Ａ、Ｂ、Ｃ）と角度（α、β）を示した説明図。
【図３】マスクストッパー（１）にマスク紐（７、８、９、１０）の装着と、マスク紐が最も鋭角に曲がる点（Ｐ１、Ｐ２）を示した説明図。
【図４】マスクストッパー（１）にマスク紐（７、８、９、１０）を装着した時に、それぞれの紐とマスクストッパーに加わる力の向き（Ｆ２、Ｆ３、Ｆ４）を示した説明図。
【図５】マスクストッパー（１）を使用して、マスク紐を首筋で止めた場合にマスク本体（11）、マスク紐（１２）及びマスクストッパーに加わる力の向き（Ｆ２、Ｆ３、Ｆ４、Ｆ５、Ｆ６）を示した説明図。
【図６】眼鏡（６０）とマスク（１１）を併用する場合、マスクストッパー（１）を使用して装着した説明図。
【図７】マスクストッパーの変形例を示した正面図。
【図８】マスクストッパーの他の変形例を示した正面図。
【図９】マスクストッパーの他の変形例を示した正面図。
【図１０】マスクを首筋で止めたとした場合にマスクに加わる力の向き（Ｆ１、Ｆ７）を側面から示した説明図。
【発明を実施するための形態】
【００１１】
本実施形態のマスクストッパー（１）は、図１に示すように基部（２）とその両端に、それぞれ上下１対のフック（３、４、５、６）が設けられている。
つまり、基部（２）の左上には左上フック（３）、基部（２）の右上には右上フック（４）、基部（２）の左下には左下フック（５）、基部（２）の右下には右下フック（６）が一体に設けられている。
そして、図２に示すように、左上フック（３）中心と左下フック（５）中心とを通る仮想線（Ａ）と左下フック（５）中心と右下フック（６）中心とを通る仮想線（Ｃ）は斜交している。また、右上フック（４）中心と右下フック（６）中心とを通る仮想線（Ｂ）と左下フック（５）中心と右下フック（６）中心とを通る仮想線（Ｃ）も斜交している。本実施形態では、その斜交角度（α、β）を５０度としている。
また、図１に示すように基部（２）の中程部は上下に膨らんでいる。
【００１２】
図３、図４に示すように、マスクストッパー（１）にマスクを装着した場合、マスク紐（７、８、９、１０）は左側ではフック（５）の点（Ｐ1）、右側ではフック（６）の点（Ｐ2）でマスク紐が最も鋭角に曲がる為、この２点（Ｐ1）（Ｐ2）がマスク紐に対して最も負荷が加わるストッパー部分となり、マスク上紐（７、８）からの力（Ｆ２）はマスク下紐（９、１０）への力（Ｆ３）とマスクストッパーに加わる上方向の力（Ｆ４）へと分散される。この時、マスク下紐への力（Ｆ３）は非常に弱い状態である。
図５に示すように、マスク本体（１１）には顔方向への力（Ｆ5）が加わる事で、マスクは落ちにくくなる。
フック式構造を採用している為、前記マスク紐への力（Ｆ２、Ｆ３、Ｆ４、Ｆ５）は滑らかに伝わるようになる。
また、図１、図５に示すように、基部（２）の中程部は上下に膨らませる事で、最も首に接する部分の面積を大きく持たせ、マスクストッパー（１）が裏返ろうとする力（Ｆ６）を抑制し安定した装着が可能になる。
さらに、フック(３、４、５、６)の上下端部でも裏返ろうとする力（Ｆ６）を抑制する効果を得られる。
長時間マスクを使用した場合などでも首筋で止める為、耳への負担は全く無い。
図６で示すように、マスクと眼鏡（６０）の併用時にマスクストッパー（１）を使用すると、耳への負担は眼鏡単品使用の場合と同じになる。
また、マスクを外す時に眼鏡も外れてしまうといった事故が無くなる。
マスクを引っ張って止める為、顔への密着性が向上し細菌や花粉がマスク内に入りにくくなる。
【００１３】
本発明は上記した実施形態に限定されるものではなく、種々の変形例でも実施可能である。
例えば、図２に示した角度（α、β）は１０度から６０度までは前記したストッパーの効果を得られる。
前記角度が１０度以下の場合、点（Ｐ１、Ｐ２）での角度は鋭角過ぎる為、マスク紐（７、８、９、１０）への負荷が過大で力の分散の妨げになる。
前記角度が６０度以上の場合、点（Ｐ１、Ｐ２）での角度は鋭角でなくなり、マスク紐（７、８、９、１０）への負荷が弱くなりストッパー効果も弱くなる。
また、図７に示すマスクストッパー（３０）のように基部（２）の長さを変えることで、左右フック間の距離を変えても良い。
また、図８に示すマスクストッパー（４０）のように左右のフック（１３．１４．１５．１６）の数は何対の構造でも良い。この場合、マスク紐取り付けの長さ調整が可能になる。
また、図９に示すマスクストッパー（５０）のようにフック（３、４、５、６）の外形はファッション性を重視したデザイン等、どの様な形状でも良い。
マスクストッパー（５０）のように、フック（３、４、５、６）の上下部分に突出部（１７．１８．１９．２０）を設けても良い。この場合図６に示すマスクストッパーが裏返ろうとする力（Ｆ６）を抑制する効果が大きく得られる。
その他、素材や厚みに関してはどのような素材でも良い。
【符号の説明】
【００１４】
１、３０、４０、５０    マスクストッパー
２          基部
３、１３    左上フック
４、１４    右上フック
５、１５    左下フック
６、１６    右下フック
７          マスク上紐
８          マスク上紐
９          マスク下紐
１０        マスク下紐
１１        マスク本体
１２        マスク紐
１７、１８、１９、２０  突出部
Ａ  左上フックと左下フックとを通る仮想線
Ｂ  右上フックと右下フックとを通る仮想線
Ｃ  左下フックと右下フックとを通る仮想線
α  左上フックと左下フックとを通る仮想線（A）と左下フックと右下フックとを通る仮想線（Ｃ）の交差角度
β  右上フックと右下フックとを通る仮想線（B）と左下フックと右下フックとを通る仮想線（Ｃ）の交差角度
Ｆ１  マスク本体が落ちようとする力の向き
Ｆ２  マスク上紐に加わる力の向き
Ｆ３  マスク下紐に加わる力の向き
Ｆ４  マスクストッパー本体に加わる力の向き
Ｆ５  マスク本体の顔方向へ加わる力の向き
Ｆ６  マスクストッパーが裏返ろうとする力の向き
Ｆ７  止め部が下に落ちようとする力の向き
Ｐ１  左上マスク紐と左下マスク紐が鋭角に曲がる点
Ｐ２  右上マスク紐と右下マスク紐が鋭角に曲がる点
【図１】
2015093036.tif 000003
【図２】
2015093036.tif 000004
【図３】
2015093036.tif 000005
【図４】
2015093036.tif 000006
【図５】
2015093036.tif 000007
【図６】
2015093036.tif 000008
【図７】
2015093036.tif 000009
【図８】
2015093036.tif 000010
【図９】
2015093036.tif 000011
【図１０】
2015093036.tif 000012